(57)【要約】【課題】  複数装置間で画像データを送受信することにより画像形成機能を実現する画像形成システムにおいて、サービス提供装置決定に関する操作性を向上させる。【解決手段】  サービスを提供する装置に、予め、サービス提供機能を、ユーザアカウント情報と関連付けて設定・記憶しておき、ネットワークを介して、他の画像形成装置から、前記設定を検索可能とする。【選択図】  図１
2009015715.tif 000002
【特許請求の範囲】
【請求項１】
複数のサービス提供装置と、サービス利用装置とがネットワークに接続され、前記装置間で画像データを送受信することにより画像形成機能を実現する画像形成システムにおいて、
前記サービス提供装置において、予め、サービス提供可能な機能を、ユーザアカウント情報と関連付けて設定・記憶可能とするサービス提供機能設定・記憶手段と、
ネットワークに接続された他の画像形成装置から、前記サービス提供機能設定・記憶手段により記憶されたサービス提供機能について、ユーザアカウント情報、及び、提供機能をキーに検索・応答可能とするサービス提供可能機能応答手段と、
前記サービス利用装置は、前記サービス提供可能機能応答手段を使用して、ユーザアカウント情報、及び、提供機能をキーに、利用可能かどうかを問合せた結果から、利用するサービス提供装置を決定するサービス提供装置決定手段と
前記サービス提供装置決定手段により決定したサービス提供装置と、画像データを送受信することにより画像形成機能を実現する画像形成機能実行手段、とを備えることを特徴とする画像形成システム。
【請求項２】
請求項１記載の画像形成システムにおいて、
前記サービス提供装置決定手段は、前記サービス提供可能機能応答手段によるユーザアカウント情報、及び、提供機能をキーにして問合せた結果から、利用可能サービス提供装置なしと判断すると、前記サービス提供可能機能応答手段を使用して提供機能をキーに、利用可能かどうかを問合せた結果から、利用するサービス提供装置を決定することを特徴とする画像形成システム。
【請求項３】
請求項１、２記載の画像形成システムにおいて、
前記サービス提供装置決定手段は、ユーザ操作により、サービス提供装置を設定することを特徴とする画像形成システム。
【請求項４】
請求項１〜３記載の画像形成システムにおいて、
前記サービス提供機能設定・記憶手段は、ネットワークに接続された他の画像形成装置からの指示により、サービス提供可能な機能を、ユーザアカウント情報と関連付けて設定・記憶可能とすることを特徴とする画像形成システム。
【請求項５】
請求項４記載の画像形成システムにおいて、
前記画像形成機能実行手段の実行結果をもとに、前記サービス提供機能設定・記憶手段に、ユーザアカウント情報と関連付けられたサービス提供機能を、設定・記憶するよう指示を行うサービス提供機能設定・記憶指示手段とを備えることを特徴とする画像形成システム。
【請求項６】
複数のサービス提供装置と、サービス利用装置とがネットワークに接続され、前記装置間で画像データを送受信することにより画像形成機能を実現する画像形成システムの制御方法において、
前記サービス提供装置において、予め、サービス提供可能な機能を、ユーザアカウント情報と関連付けて設定・記憶可能とするサービス提供機能設定・記憶工程と、
ネットワークに接続された他の画像形成装置から、前記サービス提供機能設定・記憶工程により記憶されたサービス提供機能について、ユーザアカウント情報、及び、提供機能をキーに検索・応答可能とするサービス提供可能機能応答工程と、
前記サービス利用装置は、前記サービス提供可能機能応答工程を使用して、ユーザアカウント情報、及び、提供機能をキーに、利用可能かどうかを問合せた結果から、利用するサービス提供装置を決定するサービス提供装置決定工程と
前記サービス提供装置決定工程により決定したサービス提供装置と、画像データを送受信することにより画像形成機能を実現する画像形成機能実行工程、とを備えることを特徴とする画像形成システムの制御方法。
【請求項７】
請求項６記載の画像形成システムの制御方法において、
前記サービス提供装置決定工程は、前記サービス提供可能機能応答工程によるユーザアカウント情報、及び、提供機能をキーにして問合せた結果から、利用可能サービス提供装置なしと判断すると、前記サービス提供可能機能応答工程を使用して提供機能をキーに、利用可能かどうかを問合せた結果から、利用するサービス提供装置を決定することを特徴とする画像形成システムの制御方法。
【請求項８】
請求項６、７記載の画像形成システムの制御方法において、
前記サービス提供装置決定工程は、ユーザ操作により、サービス提供装置を設定することを特徴とする画像形成システムの制御方法。
【請求項９】
請求項６〜８記載の画像形成システムの制御方法において、
前記サービス提供機能設定・記憶工程は、ネットワークに接続された他の画像形成装置からの指示により、サービス提供可能な機能を、ユーザアカウント情報と関連付けて設定・記憶可能とすることを特徴とする画像形成システムの制御方法。
【請求項１０】
請求項９記載の画像形成システムの制御方法において、
前記画像形成機能実行工程の実行結果をもとに、前記サービス提供機能設定・記憶工程に、ユーザアカウント情報と関連付けられたサービス提供機能を、設定・記憶するよう指示を行うサービス提供機能設定・記憶指示工程とを備えることを特徴とする画像形成システムの制御方法。
【請求項１１】
請求項６〜１０記載の画像形成システムの制御方法をコンピュータに実行させるためのコンピュータプログラム。
【請求項１２】
請求項１１記載のコンピュータプログラムを格納したコンピュータで読み取り可能な記憶媒体。
【発明の詳細な説明】
【技術分野】
【０００１】
本発明は、ネットワークに接続され、画像形成装置間で画像データを送受信することにより画像形成機能を実現する画像形成システム、及び、それらの制御方法、コンピュータプログラム、記憶媒体に関する。
【背景技術】
【０００２】
従来から、複数装置間で画像データを送受信することにより画像形成機能を実現する画像形成システムとして、リモートコピーシステムなどがある。リモートコピーシステムは、ネットワークを介して接続されたスキャナ等の画像入力装置と、プリンタ等の画像出力装置とによりコピー動作を実現するものである。リピートコピーシステムにおいては、画像入力装置に画像出力装置のＩＰアドレスやホスト名などのリモート装置の識別情報を、予め設定しておくのが一般的である。
【０００３】
一方、画像形成装置を検索する方法として、ネットワーク上のサーバ、または、画像形成装置自身に置いたデータベースを利用するもの提案されている。これは、ユーザ情報と装置情報とを関連付けたデータベースにアクセスすることにより、ユーザ情報に関連付けられた装置情報を取得する。検索結果を画面上に表示して、ユーザ自身がその中から装置を決定するものである（特許文献１）。
【特許文献１】特開２０００−２８５０３９号公報
【発明の開示】
【発明が解決しようとする課題】
【０００４】
しかしながら、このような画像形成システムでは、データベースを、サーバやサービスを利用する画像形成装置自身に置くことが必要になる。サーバ利用による方法では、画像形成装置以外のサーバ装置が必要になり、また、維持・メンテナンスを行う必要があるため、ユーザの負担となる。また、サービスを利用する画像形成装置自身にデータベースを置く方法では、サービス利用装置が増えた場合、その都度装置にデータベースを構築する必要があり、ユーザの負担となる。
【課題を解決するための手段】
【０００５】
上述した課題を解決するために、本発明は、複数のサービス提供装置と、サービス利用装置とがネットワークに接続され、前記装置間で画像データを送受信することにより画像形成機能を実現する画像形成ステムにおいて、前記サービス提供装置において、予め、サービス提供可能な機能を、ユーザアカウント情報と関連付けて設定・記憶可能とするサービス提供機能設定・記憶手段と、ネットワークに接続された他の画像形成装置から、前記サービス提供機能設定・記憶手段により記憶されたサービス提供機能について、ユーザアカウント情報、及び、提供機能をキーに検索・応答可能とするサービス提供可能機能応答手段と、前記サービス利用装置は、前記サービス提供可能機能応答手段を使用して、ユーザアカウント情報、及び、提供機能をキーに、利用可能かどうかを問合せた結果から、利用するサービス提供装置を決定するサービス提供装置決定手段と前記サービス提供装置決定手段により決定したサービス提供装置と、画像データを送受信することにより画像形成機能を実現する画像形成機能実行手段とを備えることを特徴とする。
【０００６】
また、本発明の画像形成システムは、前記サービス提供装置決定手段は、前記サービス提供可能機能応答手段によるユーザアカウント情報、及び、提供機能をキーにして問合せた結果から、利用可能サービス提供装置なしと判断すると、前記サービス提供可能機能応答手段を使用して提供機能をキーに、利用可能かどうかを問合せた結果から、利用するサービス提供装置を決定することを特徴とする。
【０００７】
また、本発明の画像形成システムは、前記サービス提供装置決定手段は、ユーザ操作により、サービス提供装置を設定することを特徴とする。
【０００８】
また、本発明の画像形成システムは、前記サービス提供機能設定・記憶手段は、ネットワークに接続された他の画像形成装置からの指示により、サービス提供可能な機能を、ユーザアカウント情報と関連付けて設定・記憶可能とすることを特徴とする。
【０００９】
また、本発明の画像形成システムは、前記画像形成機能実行手段の実行結果をもとに、前記サービス提供機能設定・記憶手段に、ユーザアカウント情報と関連付けられたサービス提供機能を、設定・記憶するよう指示を行うサービス提供機能設定・記憶指示手段とを備えることを特徴とする。
【発明の効果】
【００１０】
本発明によって、サーバレス環境で、サービス提供装置を決定することが可能になる。また、サービス利用装置が増えた場合も、サービス提供装置に関する設定を行う必要がないので、ユーザの利便性を向上させることができる。
【発明を実施するための最良の形態】
【００１１】
以下、本発明にかかる一実施形態について、図面を参照して詳細に説明する。
【００１２】
図１は、本発明の実施例を示す画像形成装置システムの全体の構成を説明するブロック図である。本画像形成装置２００は、画像入力デバイスであるスキャナ部２０７０、画像出力デバイスであるプリンタ部２０９５、Ｃｏｎｔｏｒｏｌｌｅｒ  Ｕｎｉｔ  ２０００、ユーザーインターフェースである操作部２０１２から構成される。スキャナ部２０７０、プリンタ部２０９５、操作部２０１２は、それぞれＣｏｎｔｏｒｏｌｌｅｒ  Ｕｎｉｔ  ２０００に接続され、Ｃｏｎｔｏｒｏｌｌｅｒ  Ｕｎｉｔ  ２０００は、ＬＡＮ  ２０１１などのネットワーク伝送手段、公衆回線に接続されている。公衆回線からはカラー画像送信を含むＧ３、Ｇ４ファックスによる送信が可能である。また、ＬＡＮ  ２０１１には、画像形成装置２００と同様の機器構成をもつ他の画像形成装置２２０、２３０が接続されえている。また、パーソナルコンピュータ（以下ＰＣ）２４０が接続されていて、ＦＴＰ、ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｏｒｏｌｌｅｒ  Ｕｎｉｔ  ２２００、２３００に接続されている。
【００１３】
図２は、画像形成装置の構成を説明するブロック図である。Ｃｏｎｔｏｒｏｌｌｅｒ  Ｕｎｉｔ  ２０００は画像入力デバイスであるカラースキャナ２０１５や画像出力デバイスであるカラープリンタ２０１７と接続し、一方ではＬＡＮ  ２００８や公衆回線（ＷＡＮ）２０５１接続することで、画像情報やデバイス情報の入出力を行う為のコントローラである。 ＣＰＵ  ２００１はシステム全体を制御するコントローラである。ＲＡＭ  ２００２はＣＰＵ  ２００１が動作するためのシステムワークメモリであり、画像データを一時記憶するための画像メモリでもある。ＲＯＭ  ２００３はブートＲＯＭであり、システムのブートプログラムが格納されている。ＨＤＤ  ２００４はハードディスクドライブで、システムソフトウェア、画像データを格納する。操作部Ｉ／Ｆ２００５は操作部（ＵＩ）２００６とインターフェース部で、操作部２００６に表示する画像データを操作部２００６に対して出力する。また、操作部２００６から本システム使用者が入力した情報を、ＣＰＵ  ２００１に伝える役割をする。Ｎｅｔｗｏｒｋ  ２００７はＬＡＮ  ２００８に接続し、情報の入出力を行う。Ｍｏｄｅｍ  ２０５０は公衆回線２０５１に接続し、画像情報の入出力を行う。２値画像回転２０５２、および２値画像圧縮・伸張２０５３はＭｏｄｅｍ  ２０５３で２値画像を送信する前に画像の方向を変換したり、所定の解像度、あるいは相手能力に合わせた解像度に変換するためのものである。圧縮、伸張はＪＢＩＧ、ＭＭＲ、ＭＲ、ＭＨをサポートしている。ＤＭＡＣ  ２００９はＤＭＡコントローラであり、ＲＡＭ  ２００２に格納されている画像をＣＰＵ  ２００１を介することなく読み取りＩｍａｇｅＢｕｓ  Ｉ／Ｆ  ２０１１に対して画像転送する、もしくは画像バスからの画像をＣＰＵ  ２００１を介することなくＲＡＭ  ２００２に書き込む。以上のデバイスがシステムバス２００８に接続される。ＩｍａｇｅＢｕｓ  ２０１１は画像バス２０１０を介して高速な画像の入出力を制御するためのインタフェースである。圧縮器２０１２は画像バス２０１０に画像を送出する前に３２画素x３２画素の単位でＪＰＥＧ圧縮するための圧縮器である。伸張器２０１３は画像バス２０１０を介して送られた画像を伸張するための伸張器である。
【００１４】
ラスターイメージプロセッサ（ＲＩＰ）２０１８はホストコンピュータからのＰＤＬコードをＮｅｔｗｏｒｋ  ２００７を介して受け取り、システムバス２００８を通して、ＣＰＵ  ２００１がＲＡＭ  ２００２に格納する。ＣＰＵ２００１はＰＤＬを中間コードに変換し、再度システムバス２００８を介してＲＩＰ  ２０１８に入力し、ビットマップイメージ（多値）に展開する。スキャナ画像処理２０１４はスキャナ２０１５からのカラー画像、白黒画像に対して、適切な各種画像処理（たとえば補正、加工、編集）を行い出力する（多値）。同様にプリンタ画像処理２０１６はプリンタ２０１７に対して適切な各種画像処理（たとえば補正、加工、編集）を行うプリント時は伸張２０１３で２値多値変換を行うので、２値、および多値出力が可能である。画像変換部２０３０はＲＡＭ上にある画像を画像変換し、再度、ＲＡＭ  ２０３０に下記戻すときに使われる各種画像変換機能を有する。回転器２０１９は３２画素ｘ３２画素単位の画像を指定された角度で回転でき、２値、および多値の入出力に対応している。変倍器２０２０は画像の解像度を変換（たとえば６００ｄｐｉから２００ｄｐｉ）したり、変倍したりする機能（たとえば２５％から４００％まで）を有する。変倍する前には３２ｘ３２画素の画像を３２ライン単位の画像に並び替える。色空間変換２０２１は多値入力された画像をマトリクス演算、およびＬＵＴにより、たとえばメモリ上にあるＹＵＶ画像をＬａｂ画像に変換し、メモリ上に格納する。また、この色空間変換は３ｘ８のマトリクス演算および、１次元ＬＵＴをもち、公知の下地とばしや裏写り防止を行うことができる。変換された画像は多値で出力される。２値多値変換２０２２は１ｂｉｔ  ２値画像を多値８ｂｉｔ、２５６階調にする。逆に多値２値変換２０２５はたとえばメモリ上にある８ｂｉｔ、２５６階調の画像を誤差拡散処理などの手法により１ｂｉｔ、２階調に変換し、メモリ上に格納する。合成はメモリ上の２枚の多値画像画像を合成し、１枚の多値画像にする機能を有する。たとえば、メモリ上にある会社ロゴの画像と原稿画像を合成することで、原稿画像に簡単に会社ロゴをつけることができる。間引き２０２４は多値画像の画素を間引くことで、解像度変換を行うユニットであり１／２、１／４、１／８の多値画像を出力可能である。変倍２０２０と合わせて使うことで、より広範囲な拡大、縮小を行うことができる。移動２０２５は入力された２値画像、多値画像に余白部分をつけたり、余白部分を削除したりして出力することができる。回転２０１９、変倍２０２０、色空間変換２０２１、２値多値２０２２、合成２０２３、間引き２０２４、移動２０２５、多値２値２０２６ははそれぞれ連結して動作することが可能で、たとえばメモリ上の多値画像を画像回転、解像度変換する場合は、両処理をメモリを介さずに連結して行うことができる。
【００１５】
画像入出力デバイスを図３に示す。画像入力デバイスであるスキャナ部２０１５は、原稿となる紙上の画像を照明し、ＣＣＤラインセンサ（図示せず）を走査することで、ラスターイメージデータとして電気信号に変換する。原稿用紙は原稿フィーダ２７０１のトレイ２７０２にセットし、装置使用者が操作部２００６から読み取り起動指示することにより、コントローラＣＰＵ  ２００１がスキャナ２０１５に指示を与え、フィーダ２０７１のトレイ２７０２から原稿用紙を１枚ずつフィードし原稿画像の読み取り動作を行う。
【００１６】
画像出力デバイスであるプリンタ部２０１７は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ  ２００１からの指示によって開始する。プリンタ部２０９５には、異なる用紙サイズまたは異なる用紙向きを選択できるように複数の給紙段を持ち、それに対応した用紙カセット２７０３、２７０４、２７０５がある。また、排紙トレイ２７０６は印字し終わった用紙を受ける排紙トレイである。
【００１７】
操作部２００６の構成を図４に示す。ＬＣＤ表示部２８０１は、ＬＣＤ上にタッチパネルシート２８０２が貼られており、システムの操作画面およびソフトキーを表示するとともに、表示してあるキーが押されるとその位置情報をコントローラＣＰＵ  ２００１に伝える。スタートキー２０１４は原稿画像の読み取り動作を開始する時などに用いる。スタートキー２８０３中央部には、緑と赤の２色ＬＥＤ  ２８０４があり、その色によってスタートキー２８０３が使える状態にあるかどうかを示す。ストップキー２８０５は稼働中の動作を止める働きをする。ＩＤキー２８０６は、使用者のユーザーＩＤを入力する時に用いる。リセットキー２８０７は操作部からの設定を初期化する時に用いる。
【００１８】
図５は、本発明における実現機能の例を示す図である。図５において、例えば、ローカル装置とリモート装置とでネットワークを介してコピーという機能を実現させる場合、ローカル装置が提供する機能はスキャン、リモート装置が提供する機能はプリントとなる。同様に、ＦＡＸ送信の場合は、スキャンとＦＡＸ、プッシュスキャンの場合は、スキャンとストレージ、プルスキャンの場合は、ストレージとスキャンにより実現される。
【００１９】
図６は、本発明における提供機能設定例を示す図である。図６において、ユーザＡに対してＦＡＸ、プリント、ユーザＢに対してストレージ、ユーザＣに対してプリント、ユーザＤに対してスキャンという機能が提供されていることを示している。これらの値は、画像形成装置で設定・記憶される。
【００２０】
図７は、本発明のサービス提供装置決定のフローを示す図である。７０１において、ユーザにより実現機能が指定されると、７０２において、リモート装置の機能を決定する。例えば、図５の例だと、実現機能としてコピーが指定されると、リモート装置が提供する機能は、プリントとなる。次に、７０３において、ユーザ情報、提供機能をキーに、ネットワークを介して他の装置へ提供可能な装置がないか問い合わせを行う。この問合せは、マルチキャスト、ブロードキャストなどにより実現する。７０４では、他の装置からの返答を待ち、返答があった場合は、７０７へ進む。返答がなかった場合は、改めて、提供機能のみをキーに提供可能な装置がないか問合せを行う。７０６において、他の装置からの返答を待ち、返答があった場合は、７０７へ進む。返答がなかった場合は、機能を実現不可と判断し、処理を終了する。次に７０７において、リモート装置の確認を行う。ここでは、ユーザがリモート装置についての最終確認を行うものである。７０８では、７０７で確認したリモート装置を確定させる。
【００２１】
図８は、本発明における、提供機能の応返答フローを示す図である。提供機能に関する問合せが来ると、８０１において、指示されてキーをもとに自装置に設定記憶されている値を検索する。ここでは、図６における設定値が参照される。また、検索キーとしては、ユーザ情報、提供機能などが対象となる。８０１で検索した結果、８０２では、マッチしたかどうかを判断し、マッチしたと判断した場合は、８０３において、マッチした旨を返答し、処理を終了する。８０３において、マッチしていないと判断した場合は、返答せずに処理を終了する。
【００２２】
図９は、本発明における提供機能設定・記憶指示フローを示す図である。９０１において、画像形成システムにおける画像形成機能の実行結果を取得し、９０２において、実行結果が正常終了か否かを判断する。９０２において、正常終了でないと判断すると、処理を終了する。９０２において、正常終了と判断すると、９０３において、リモート装置の設定を変更するか否かの判断を行う。例えば、リモート装置に、ユーザ情報、提供機能が関連付けられて設定・記憶されていない場合は、リモート装置の設定を変更すると判断する。９０３において、リモート装置の設定を変更しないと判断すると処理を終了する。９０３において、リモート装置の設定を変更すると判断すると、９０４において、リモート装置へ、設定変更の指示を行い、処理を終了する。
【００２３】
図１０は、本発明における、提供機能設定変更フローを示す図である。１００１において、ネットワークを介して他の装置から提供機能設定の変更指示を受信すると、１００２において、自装置の設定について、追加・変更を行い、処理を終了する。
【００２４】
図１１は、本発明によりリモートコピーシステムを実現した際の実行フローを示した図である。ＵｓｅｒＡがＤｅｖｉｃｅ１において、リモートコピーの操作を行うと、１１０１において、ネットワークを介して他の装置に対して、ユーザ情報：ＵｓｅｒＡ、機能：プリントをキーに、実現可能な装置の検索を行う。各装置は、検索要求を受け取ると、自機の設定値を参照し、マッチした場合は、その旨を返答する。ここでは、１１０２の通り、Ｄｅｖｉｃｅ４のみが返答している。次に、１１０３において、Ｄｅｖｉｃｅ１は自装置で画像を読み取った後に、Ｄｅｖｉｃｅ４に対してプリント指示を行い、リモートコピーを実現する。
【００２５】
図１２は、本発明によりリモートコピーシステムを実現した際の実行フローを示す第２の図である。ＵｓｅｒＥがＤｅｖｉｃｅ１において、リモートコピーの操作を行うと、１２０１において、ネットワークを介して他の装置に対して、ユーザ情報：ＵｓｅｒＥ、機能：プリントをキーに、実現可能な装置の検索を行なう。ここでは、マッチする装置がないので、次にＤｅｖｉｃｅ１は１２０２において、機能：プリントのみをキーに検索を行なう。Ｄｅｖｉｃｅ２〜Ｄｅｖｉｃｅ５はプリント可能であるので、１２０３において、機能の提供可能である旨を返答する。ここで、ＵｓｅｒＥがＤｅｖｉｃｅ３を選択したとすると（１２０４）、Ｄｅｖｉｃｅ１は自装置で画像を読み取った後に、Ｄｅｖｉｃｅ３に対してプリント指示を行い、リモートコピーを実現する。リモートコピーが正常終了すると、１２０６において、Ｄｅｖｉｃｅ３に対して、ユーザ情報：ＵｓｅｒＥ、機能：プリントとして提供機能の設定・追加を要求する。Ｄｅｖｉｃｅ３は設定・追加要求を受信すると、自装置に設定を追加する。
【図面の簡単な説明】
【００２６】
【図１】本発明の画像形成システムの全体構成を示す図
【図２】本発明の画像形成装置の全体構成を示す図
【図３】画像形成装置の入出力デバイスの外観図
【図４】画像形成装置の操作部の外観図
【図５】本発明の実現機能の例を示す図
【図６】本発明のサービス提供機能設定例を示す図
【図７】本発明のサービス提供装置決定フローを示す図
【図８】本発明のサービス提供機能応答フローを示す図
【図９】本発明のサービス提供機能設定変更指示フローを示す図
【図１０】本発明のサービス提供機能設定変更フローを示す図
【図１１】本発明によるリモートコピーシステム実行フローを示す図
【図１２】本発明によるリモートコピーシステム実行フローを示す図
【図１】
2009015715.tif 000003
【図２】
2009015715.tif 000004
【図３】
2009015715.tif 000005
【図４】
2009015715.tif 000006
【図５】
2009015715.tif 000007
【図６】
2009015715.tif 000008
【図７】
2009015715.tif 000009
【図８】
2009015715.tif 000010
【図９】
2009015715.tif 000011
【図１０】
2009015715.tif 000012
【図１１】
2009015715.tif 000013
【図１２】
2009015715.tif 000014